(57)【要約】【課題】異なる機器を接続する場合であっても、総合的な部品点数の増加及びコストの上昇を抑えることが可能な情報処理装置を提供すること。【解決手段】コネクタ４０を実装するときには第１の機器接続端子１２及びＧＮＤ端子１４により接続を行い、コネクタ５０を実装するときには第２の機器接続端子１３及びＧＮＤ端子１４により接続を行う。これにより、ＧＮＤ端子１４をコネクタ４０、５０の間で共通化とすることができ、メイン基板１０に設けられる機器接続端子の総合的な点数を削減することが可能となる。【選択図】図９
2010066906.tif 000002
【特許請求の範囲】
【請求項１】
基板と、
前記基板に設けられ、第１の機器の複数の接続端子と接続可能な複数の第１の機器接続端子と、
前記基板に設けられ、第２の機器の複数の接続端子と接続可能な複数の第２の機器接続端子と、
前記基板に設けられ、前記第１の機器および前記第２の機器の複数の接続端子と接続可能な複数の共通機器接続端子とを具備し、
前記複数の第１の機器接続端子、前記複数の第２の機器接続端子、前記複数の共通機器接続端子の空間的な配置が、前記第１の機器の接続端子の接続時に、当該第１の機器の前記複数の接続端子が前記複数の第１の機器接続端子及び前記複数の共通機器接続端子と接続され、前記第２の機器の接続端子の接続時に、当該第２の機器の前記複数の接続端子が前記複数の第２の機器接続端子及び前記複数の共通機器接続端子と接続されるように設定された
情報処理装置。
【請求項２】
請求項１に記載の情報処理装置であって、
前記共通機器接続端子は、接地用の接続端子である
情報処理装置。
【請求項３】
請求項２に記載の情報処理装置であって、
一部の前記第１の機器接続端子は一部の前記第２の機器接続端子と前記基板上で短絡されている
情報処理装置。
【請求項４】
請求項３に記載の情報処理装置であって、
前記第１の機器の前記複数の接続端子は、それぞれ第１のコネクタ部のコンタクト群として設けられ、
前記第２の機器の前記複数の接続端子は、それぞれ第２のコネクタ部のコンタクト群として設けられ、
前記情報処理装置は、前記第１のコネクタ部又は前記第２のコネクタ部を一軸方向に挿抜可能とし、装着された前記第１のコネクタ部又は前記第２のコネクタ部の前記コンタクト群を前記基板上の対応する接続端子と接続させる、接続機器に応じたコネクタ受け部をさらに具備する
情報処理装置。
【請求項５】
請求項４に記載の情報処理装置であって、
前記複数の第１の機器接続端子及び前記複数の第２の機器接続端子が、前記第１のコネクタ部及び前記第２のコネクタ部の前記コネクタ受け部に対する挿抜の軸方向においてずれた第１の領域と第２の領域に区分して配置されている
情報処理装置。
【請求項６】
請求項５に記載の情報処理装置であって、
前記複数の共通機器接続端子が、前記第１の領域と前記第２の領域に対して、挿抜の軸方向においてずれ、かつ前記第１の領域と前記第２の領域とが隣り合うように他の領域に対して位置が制約的に決められた第３の領域に配置されている
情報処理装置。
【請求項７】
請求項４に記載の情報処理装置であって、
前記複数の第１の機器接続端子及び前記複数の第２の機器接続端子が、前記第１のコネクタ部及び前記第２のコネクタ部の前記コネクタ受け部に対する挿抜の軸方向に対して直交する方向にずれた第１の領域と第２の領域に区分して配置されている
情報処理装置。
【請求項８】
請求項７に記載の情報処理装置であって、
前記複数の共通機器接続端子が、前記複数の第１の機器接続端子及び前記複数の第２の機器接続端子が配置された領域に対して、挿抜の軸方向に対して直交する方向においてずれた第３の領域に配置され、かつ前記第３の領域は前記第１の領域と前記第２の領域との間に設定される
情報処理装置。
【発明の詳細な説明】
【技術分野】
【０００１】
本発明は、接続端子を複数の機器の間で共通化とする情報処理装置に関する。
【背景技術】
【０００２】
近年、機能の多様化と部品点数の低減及びコスト抑制とを両立させるために、接続端子を複数の機器の間で共通化とする情報処理装置が提供されている（例えば、特許文献１参照）。特許文献１によれば、接続端子を有する共用接続部に対して、フラッシュメモリ用ドライブ、ＳＤカード用ドライブ等の複数の機器がそれぞれ接続可能とされる。
【０００３】
【特許文献１】特開２００７−３２３４９４公報（段落[００５０]、図１）
【発明の開示】
【発明が解決しようとする課題】
【０００４】
しかしながら、特許文献１によれば、共用接続部が限定的であるため、接続される機器もまた制限され、機能の多様化の要求に応えているとは言い難い。
【課題を解決するための手段】
【０００５】
以上のような事情に鑑み、本発明の目的は、異なる機器を接続する場合であっても、総合的な部品点数の増加及びコストの上昇を抑えることが可能な情報処理装置を提供することにある。
【０００６】
上記目的を達成するため、本発明に係る情報処理装置は、基板と、複数の第１の機器接続端子と、複数の第２の機器接続端子と、複数の共通機器接続端子とを具備する。複数の第１の機器接続端子は、前記基板に設けられ、第１の機器の複数の接続端子と接続可能である。第２の機器接続端子は、前記基板に設けられ、第２の機器の複数の接続端子と接続可能である。共通機器接続端子は、前記基板に設けられ、前記第１の機器および前記第２の機器の複数の接続端子と接続可能である。前記複数の第１の機器接続端子、前記複数の第２の機器接続端子、前記複数の共通機器接続端子の空間的な配置が、前記第１の機器の接続端子の接続時に、当該第１の機器の前記複数の接続端子が前記複数の第１の機器接続端子及び前記複数の共通機器接続端子と接続され、前記第２の機器の接続端子の接続時に、当該第２の機器の前記複数の接続端子が前記複数の第２の機器接続端子及び前記複数の共通機器接続端子と接続されるように設定される。
【０００７】
本発明によれば、第１の機器の接続端子の接続時に、第１の機器の複数の接続端子が複数の第１の機器接続端子及び複数の共通機器接続端子と接続される。第２の機器の接続端子の接続時に、第２の機器の複数の接続端子が複数の第２の機器接続端子及び複数の共通機器接続端子と接続される。すなわち、同一の基板に、仕様の異なる機器を接続することが可能である。さらに、仕様の異なる機器を接続するとき、共通機器接続端子を共通化とすることができるので、総合的な端子点数を削減し、基板上の端子が配置される領域を縮小することができるとともに、その結果、総合的なコストを削減することが可能となる。
【０００８】
本発明において、前記共通機器接続端子は、接地用の接続端子である。
【０００９】
本発明によれば、異なるコネクタ機器の実装において共通化とされる共通機器接続端子は、接地用の接続端子である。接地用の接続端子は多くの機器に設けられているため、接地用の接続端子を共通化として、所望の種類の複数の異なる機器に対する共通接続端子を基板に設けることができる。
【００１０】
本発明において、一部の前記第１の機器接続端子は一部の前記第２の機器接続端子と前記基板上で短絡されている。
【００１１】
本発明によれば、このため、第１の機器接続端子及び第２の機器接続端子の総合点数に対して基板に設ける配線を少なくすることができる。これにより、基板を小型化することが可能となる。
【００１２】
本発明において、前記第１の機器の前記複数の接続端子は、それぞれ第１のコネクタ部のコンタクト群として設けられる。前記第２の機器の前記複数の接続端子は、それぞれ第２のコネクタ部のコンタクト群として設けられる。前記情報処理装置は、前記第１のコネクタ部又は前記第２のコネクタ部を一軸方向に挿抜可能とし、装着された前記第１のコネクタ部又は前記第２のコネクタ部の前記コンタクト群を前記基板上の対応する接続端子と接続させる、接続機器に応じたコネクタ受け部をさらに具備する。
本発明によれば、基板に実装するコネクタ受け部を接続機器に応じて選定することで、その接続された機器の複数の接続端子を、その機器に対応する機器接続端子と共通機器接続端子と接続させることができる。
【００１３】
本発明において、前記複数の第１の機器接続端子及び前記複数の第２の機器接続端子が、前記第１のコネクタ部又は前記第２のコネクタ部の前記コネクタ受け部に対する挿抜の軸方向においてずれた第１の領域と第２の領域に区分して配置されている。
【００１４】
本発明によれば、これにより、一部の第１の機器接続端子と一部の第２の機器接続端子とを短絡するための余剰配線（スタブ）の長さを抑制するとともに、基板を小型化することが可能となる。
【００１５】
本発明において、前記複数の共通機器接続端子が、前記第１の領域と前記第２の領域に対して、挿抜の軸方向においてずれ、かつ前記第１の領域と前記第２の領域とが隣り合うように、他の領域に対して位置が制約的に決められた第３の領域に配置されている。
【００１６】
本発明によれば、例えば、コネクタ部の挿入方向に沿って、第１の領域、第２の領域、第３の領域が順に配置されるか、もしくは第２の領域、第１の領域、第３の領域が順に配置される。ここで、コネクタ部の挿入方向に沿って、第１の領域、第２の領域、第３の領域が順に配置される場合を例にとると、第１の機器の接続時、第１の領域の第１の機器接続端子と第３の領域の共通機器接続端子に第１の機器の第１のコネクタ部の各接続端子が接続されることになる。他方、第２の機器の接続時は、第２の領域の第２の機器接続端子と第３の領域の共通機器接続端子に第２の機器の第２のコネクタ部の各接続端子が接続されることになる。したがって、第２の機器の接続のための領域は、第１の機器の接続のための領域に内包される。結果的に、基板上の接続端子の構成を変更することなく、複数の種類の機器を一箇所の領域にて接続することができる。故に、基板を小型化することが可能となる。
【００１７】
本発明において、前記複数の第１の機器接続端子及び前記複数の第２の機器接続端子が、前記第１のコネクタ部及び前記第２のコネクタ部の前記コネクタ受け部に対する挿抜の軸方向に対して直交する方向にずれた第１の領域と第２の領域に区分して配置されている。
【００１８】
本発明において、前記複数の共通機器接続端子が、前記複数の第１の機器接続端子及び前記複数の第２の機器接続端子が配置された領域に対して、挿抜の軸方向に対して直交する方向においてずれた第３の領域に配置され、かつ前記第３の領域は前記第１の領域と前記第２の領域との間に設定される。
【００１９】
本発明によれば、共通機器接続端子を第１の機器が接続される場合と第２の機器が接続される場合とで共通使用することができる。これにより、基板側の全体の接続端子の数を減らすことができ、基板の小型を図れる。
【発明の効果】
【００２０】
以上のように、本発明によれば、基板に異なる機器をコネクタ接続する場合であっても、総合的な部品点数の増加及びコストの上昇を抑えることが可能な情報処理装置を提供することが可能となる。
【発明を実施するための最良の形態】
【００２１】
［情報処理装置の構成］
以下、本発明の実施の形態を図面に基づき説明する。
【００２２】
本実施形態では情報処理装置としてノート型のパーソナルコンピュータ（ＰＣ；Ｐｅｒｓｏｎａｌ  Ｃｏｍｐｕｔｅｒ）を一例に挙げて説明する。
図１は、本発明の一実施形態に係るＰＣの開いた状態の斜視図である。図２は、図１に示すＰＣの閉じた状態の斜視図である。図３（ａ）は、図１に示すＰＣの内部構造を示す概略図である。図３（ｂ）は、図３（ａ）の破線領域ｂを示す部分拡大図である。図３（ｃ）は、図３（ａ）の破線領域ｃを示す部分拡大図である。
【００２３】
図１〜図３に示すように、ＰＣ１は、表示部２と、本体部３と、表示部２と本体部３とを連結するヒンジ部４とを有する。
【００２４】
表示部２は、ヒンジ部４を介して本体部３に対して開閉可能である。表示部２は、表示部２の筐体５と、表示面６と、筐体５内に設けられた表示処理を行う図示しない表示処理ユニットとを有する。
【００２５】
筐体５は、図示しない表示処理ユニットを収容する表示部２の外装部品である。表示面６は、情報を表示するための画面であり、閉じた状態で本体部３に対面する。
【００２６】
本体部３は、本体部３の筐体７と、キーボードユニット８と、図示しない中央処理装置等が実装されたメイン基板１０と、スイッチ基板２０（第１の機器）と、図示しないハードディスク装置等の部品とを有する。スイッチ基板２０には、複数例えば３個のスイッチ端子２１ａ〜２１ｃが設けられる。
【００２７】
キーボードユニット８は、例えば複数のキー等を有し、ＰＣ１の入力部として機能する。
【００２８】
中央処理装置は、キーボードユニット８からの入力信号を受けて、演算処理、制御処理、画像処理及び表示部２への出力処理等の各種処理を行い、ＰＣ１の実質的な機能上の本体として機能する。
【００２９】
筐体７は、本体部３の外装部品である。筐体７には、電源スイッチ９と、複数のスイッチＳ１、Ｓ２と、複数のＬＥＤ（Ｌｉｇｈｔ  Ｅｍｉｔｔｉｎｇ  Ｄｉｏｄｅ；発光ダイオード）７ａとが設けられる。
【００３０】
電源スイッチ９は、筐体７の外部から操作可能なスイッチである。電源スイッチ９は、外部から操作されると筐体７の内部に設けられたスイッチ基板２０のスイッチ端子２１ａを押下する。これにより、ＰＣ１の電源がオン／オフされる。電源スイッチ９にはＬＥＤが設けられる。このＬＥＤは、電源スイッチ９の押下による電源オン／オフ状態及びスタンバイ状態等に伴い点灯、滅灯及び点滅等される。
【００３１】
スイッチＳ１、Ｓ２は、筐体７の外部から操作可能なスイッチである。スイッチＳ１、Ｓ２は、外部から操作されると筐体７の内部に設けられたスイッチ基板２０のスイッチ端子２１ｂ、２１ｃをそれぞれ押下する。スイッチＳ１、Ｓ２は、例えばプレゼンテーションサポート等の切り替え操作ためのスイッチであるが、これに限定されない。
【００３２】
ＬＥＤ７ａは、点灯、点滅及び滅灯等することで、ＮＵＭ  ＬＯＣＫ、ＳＣＲＬ  ＬＯＣＫ、ＣＡＰＳ  ＬＯＣＫ等の機能のオン／オフ状態等を示す。
【００３３】
メイン基板１０は、多層プリント基板であり、コネクタ３０、４０がさらに実装される。コネクタ３０は、筐体７に設けられた開口から露出するよう設けられ、例えばＥｘｐｒｅｓｓＣａｒｄ（登録商標）及びＰＣカードを挿抜可能である。コネクタ３０の構成に関しては後に詳述する。
【００３４】
コネクタ４０（コネクタ受け部）は、複数の接続端子（後述する接続端子４１、４２）と、フレキシブルフラットケーブルを挿抜可能な挿入口４３とを有する。この接続端子と、メイン基板１０のコネクタ接続領域１１に設けられた接続端子とが接続されることで、コネクタ４０はメイン基板１０に電気的に接続される。この接続端子の接続構造に関しては、後に詳述する。
【００３５】
コネクタ４０には、第１の機器として、スイッチ基板２０が接続される。具体的には、スイッチ基板２０に実装されたコネクタに、先端にコンタクト群として複数の接続端子が設けられた第１のコネクタ部４４を有するフレキシブルフラットケーブル２５を接続する。第１のコネクタ部４４は、コネクタ４０に対して挿抜可能に構成される。このフレキシブルフラットケーブル２５に設けられた第１のコネクタ部４４をコネクタ４０の挿入口４３に挿入することで、スイッチ基板２０がコネクタ４０に接続される。
【００３６】
以上のように構成されたＰＣ１のより詳細な構成について、以下に説明する。
【００３７】
［コネクタ４０の実装に係るメイン基板１０の機器接続端子の構成］
まず、コネクタ４０の実装に係るメイン基板１０の機器接続端子について説明する。図４は、メイン基板１０のコネクタ接続領域１１を示す説明図であり、コネクタ４０が設けられていない様子を示す。図５は、コネクタ接続領域１１に設けられた機器接続端子を示す等価回路図である。
【００３８】
図４に示すように、コネクタ接続領域１１には、複数例えば１０個の第１の機器接続端子１２と、複数例えば５個の第２の機器接続端子１３と、複数例えば２個のＧＮＤ端子１４（共通機器接続端子）が設けられる。
【００３９】
なお、以下の説明においては、第１の機器接続端子１２は１０個あるものとし、第２の機器接続端子１３は５個あるものとし、ＧＮＤ端子１４は２個あるものとする。しかし、これらに限定されない。また、以下の説明において、１０個の第１の機器接続端子１２をそれぞれ１２−１〜１２−１０と示し、５個の第２の機器接続端子１３をそれぞれ１３−１〜１３−５と示す場合がある。また、第１の機器接続端子１２、第２の機器接続端子１３及びＧＮＤ端子１４と言うときには、複数の端子それぞれを示すのではなく、端子を集合的に捉える場合がある。
【００４０】
第１の機器接続端子１２は、第１の領域１２ａに配置される。第２の機器接続端子１３は、第２の領域１３ａに配置される。ＧＮＤ端子１４は、第３の領域１４ａに配置される。
【００４１】
第１の領域１２ａ、第２の領域１３ａ、第３の領域１４ａは、第１のコネクタ部４４のコネクタ４０に対する挿抜の軸方向において互いにずれて配置される。ここで、第３の領域１４ａの位置は、第１の領域１２ａと第２の領域１３ａとが互いに隣り合うように、他の領域１２ａ、１３ａに対して位置が制約的に決められている。この実施形態では、メイン基板１０の最も近い端寄りから、第３の領域１４ａ、第１の領域１２ａ、第２の領域１３ａの順に配置されている。
【００４２】
第１の機器接続端子１２、第２の機器接続端子１３及びＧＮＤ端子１４は、互いに平行に配置される。具体的には、メイン基板１０の一端辺１５の近傍に２個のＧＮＤ端子１４が互いに間隔を空けて配置される。２個のＧＮＤ端子１４は、端辺１５からの距離がそれぞれ等しい。すなわち、２個のＧＮＤ端子１４を結ぶ直線は、端辺１５と平行である。
【００４３】
ＧＮＤ端子１４から所定の間隔を空けて、５個の第２の機器接続端子１３が配置される。５個の第２の機器接続端子１３もまた、直線的に配置される。５個の第２の機器接続端子１３を結ぶ直線もまた、端辺１５と平行である。５個の第２の機器接続端子１３の両端に位置する２個の第２の機器接続端子１３間の距離は、例えば２個のＧＮＤ端子１４間の距離よりも短い。
【００４４】
ＧＮＤ端子１４と第２の機器接続端子１３との間には、１０個の第１の機器接続端子１２が配置される。第１の機器接続端子１２は、例えば、ＧＮＤ端子１４寄りではなくむしろ第２の機器接続端子１３寄りに配置される。１０個の第１の機器接続端子１２もまた、直線的に配置される。１０個の第１の機器接続端子１２を結ぶ直線もまた、端辺１５と平行である。１０個の第１の機器接続端子１２の両端に位置する２個の第１の機器接続端子１２間の距離は、上記両端の第２の機器接続端子１３間の距離と略等しい。
【００４５】
上述のように配置された第１の機器接続端子１２及びＧＮＤ端子１４には、コネクタ４０が接続可能である。第２の機器接続端子１３及びＧＮＤ端子１４には、コネクタ４０と異なるコネクタ（後述するコネクタ５０）が接続可能である。これら各接続については後に詳述する。
【００４６】
図５に示すように、５個の第２の機器接続端子１３は、それぞれＬＥＤ  ＰＷＲ（１３−１）、ＬＥＤ  ＳＴＡＮＤＢＹ（１３−２）、ＬＥＤ  ＲＴＮ（１３−３）、ＳＷ  ＰＷＲ（１３−４）及びＧＮＤ（１３−５）端子である。
【００４７】
ＳＷ  ＰＷＲ端子は、電源スイッチ９の操作によるスイッチ基板２０のスイッチ端子２１ａの押下に伴ってＰＣ１の電源をオン／オフするための端子である。ＬＥＤ  ＰＷＲ端子、ＬＥＤ  ＳＴＡＮＤＢＹ端子及びＬＥＤ  ＲＴＮ端子は、ＰＣ１の起動状態に応じて電源スイッチ９のＬＥＤを点灯、点滅及び滅灯等させるための端子である。
【００４８】
第１の機器接続端子１２の一部は、それぞれ上記第２の機器接続端子１３の一部（１３−１〜１３−４）に対して短絡される。すなわち、第１の機器接続端子１２の上記一部は、それぞれＬＥＤ  ＰＷＲ（１２−１）、ＬＥＤ  ＳＴＡＮＤＢＹ（１２−２）、ＬＥＤ  ＲＴＮ（１２−３）及びＳＷ  ＰＷＲ（１２−４）端子である。
【００４９】
上記短絡は、第１の機器接続端子１２−１〜１２−４と第２の機器接続端子１３−１〜１３−４とをそれぞれワイヤボンディング１６等で接続することで実現すればよい。あるいは、上記短絡は、メイン基板１０内で第１の機器接続端子１２−１〜１２−４と第２の機器接続端子１３−１〜１３−４とを配線接続することによっても実現可能である。
【００５０】
そのほかの第１の機器接続端子１２は、それぞれＬＥＤ  ＮＵＭ（１２−５）、ＬＥＤ  ＣＡＰＳ（１２−６）、ＬＥＤ  ＳＣＲＬ（１２−７）、ＳＷ  Ｓ１（１２−８）、ＳＷ  Ｓ２（１２−９）及びＧＮＤ（１２−１０）端子である。
【００５１】
ＬＥＤ  ＮＵＭ端子、ＬＥＤ  ＣＡＰＳ端子及びＬＥＤ  ＳＣＲＬ端子は、各機能の実行状態に応じて、それぞれ筐体７に設けられたＬＥＤ７ａを点灯、点滅及び滅灯等させるための端子である。ＳＷ  Ｓ１端子及びＳＷ  Ｓ２端子は、スイッチＳ１、Ｓ２の操作によるスイッチ基板２０のスイッチ端子２１ｂ、２１ｃの押下に伴って、例えばプレゼンテーションサポート等の切り替えを実行するための端子である。
【００５２】
次に、メイン基板１０のコネクタ接続領域１１に設けられた上記各機器接続端子１２〜１４に対するコネクタ４０の接続について説明する。
【００５３】
［メイン基板１０の機器接続端子に対するコネクタ４０の接続］
図６は、図４に示すメイン基板１０のコネクタ接続領域１１にコネクタ４０を実装した様子を示す説明図である。
【００５４】
上述のように、コネクタ４０は、第１の機器接続端子１２及びＧＮＤ端子１４に接続される。具体的には、コネクタ４０は、１０個の第１の機器接続端子１２に対応する１０個のＳＷ接続端子４１と、２個のＧＮＤ端子１４に対応する２個のＧＮＤ接続端子４２とを備える。コネクタ４０がメイン基板１０のコネクタ接続領域１１に実装されるとき、ＳＷ接続端子４１は第１の機器接続端子１２に接続され、ＧＮＤ接続端子４２はＧＮＤ端子１４に接続される。このとき、第２の機器接続端子１３は露出し、不使用状態にある。
【００５５】
これにより、スイッチ基板２０は、コネクタ４０のＳＷ接続端子４１を介して上記ＬＥＤ  ＰＷＲ（１２−１）、ＬＥＤ  ＳＴＡＮＤＢＹ（１２−２）、ＬＥＤ  ＲＴＮ（１２−３）及びＳＷ  ＰＷＲ（１２−４）端子に接続される。スイッチ基板２０は、ＳＷ接続端子４１を介して、ＬＥＤ  ＮＵＭ（１２−５）、ＬＥＤ  ＣＡＰＳ（１２−６）、ＬＥＤ  ＳＣＲＬ（１２−７）、ＳＷ  Ｓ１（１２−８）、ＳＷ  Ｓ２（１２−９）及びＧＮＤ（１２−１０）端子にさらに接続される。スイッチ基板２０は、ＧＮＤ接続端子４２を介してＧＮＤ端子にさらに接続される。
【００５６】
［メイン基板１０の機器接続端子に対するコネクタ５０の接続］
メイン基板１０は、上記のようにコネクタ４０を実装してスイッチ基板２０と接続されるだけでなく、コネクタ４０と異なるコネクタ５０を実装してスイッチ基板２０と異なるスイッチ基板６０（第２のスイッチ基板）と接続可能である。すなわち、メイン基板１０は、ＰＣ１と異なる仕様を有するＰＣ１ａにおいて使用可能である。
【００５７】
なお、以下の説明においては、既に説明した部材等と同様及び類似の部材等については同様の参照符号で示し、その構成及び機能等についての説明は省略する。
【００５８】
図７（ａ）は、ＰＣ１とは異なる仕様を有するＰＣ１ａの内部構造を示す概略図である。図７（ｂ）は、図７（ａ）の破線領域ｂを示す部分拡大図である。図７（ｃ）は、図７（ａ）の破線領域ｃを示す部分拡大図である。図８は、メイン基板１０のコネクタ接続領域１１にコネクタ５０を実装した様子を示す説明図である。図９は、図６及び図８に示すコネクタ４０、５０の実装を示す説明図である。
【００５９】
図７に示すように、ＰＣ１ａの本体部３には、電源スイッチ９ａが設けられる。電源スイッチ９ａは、例えばヒンジ部４の側面に設けられるがこれに限定されず、筐体７の側面等に設けられてもよい。本体部３の内部には、電源スイッチ９ａに対応するスイッチ端子６１を有するスイッチ基板６０が設けられる。電源スイッチ９ａは、外部から操作されるとスイッチ基板６０のスイッチ端子６１を押下する。これにより、ＰＣ１ａの電源がオン／オフされ、電源スイッチ９ａに設けられたＬＥＤは、電源オン／オフ状態及びスタンバイ状態等に伴い点灯、点滅及び滅灯される。
【００６０】
本体部３に設けられたメイン基板１０には、上記コネクタ４０の代わりにコネクタ５０が設けられる。
【００６１】
コネクタ５０（コネクタ受け部）は、複数の接続端子（後述する接続端子５１、５２）と、ハーネスケーブル５５を挿抜可能な挿入口５３とを有する。この接続端子と、メイン基板１０のコネクタ接続領域１１に設けられた接続端子とが接続されることで、コネクタ５０はメイン基板１０に電気的に接続される。
【００６２】
コネクタ５０には、第２の機器として、スイッチ基板６０が接続される。具体的には、スイッチ基板６０に実装されたコネクタに、先端にコンタクト群として複数の接続端子が設けられた第２のコネクタ部５４を有するハーネスケーブル５５を接続する。第２のコネクタ部５４は、コネクタ５０に対して挿抜可能に構成される。このハーネスケーブル５５に設けられた第２のコネクタ部５４をコネクタ５０の挿入口５３に挿入することで、スイッチ基板６０がコネクタ５０に接続される。
【００６３】
図８に示すように、コネクタ５０は、第２の機器接続端子１３及びＧＮＤ端子１４に接続される。具体的には、コネクタ５０は、５個の第２の機器接続端子１３に対応する５個のＳＷ接続端子５１と、２個のＧＮＤ端子１４に対応する２個のＧＮＤ接続端子５２とを備える。
【００６４】
コネクタ５０がメイン基板１０のコネクタ接続領域１１に実装されるとき、ＳＷ接続端子５１は第２の機器接続端子１３に接続され、ＧＮＤ接続端子５２はＧＮＤ端子１４に接続される。このとき、コネクタ５０は電気的に接続することなく第１の機器接続端子１２を覆い、第１の機器接続端子１２は不使用状態にある。具体的には、第１の機器接続端子１２は、コネクタ５０の絶縁部分に覆われる。
【００６５】
すなわち、図９に示すように、図６に示すコネクタ４０の実装と図８に示すコネクタ５０の実装の様子を合成してみると、コネクタ５０の設置領域がコネクタ４０の設置領域を内包するように設計されている。
【００６６】
これにより、スイッチ基板６０は、コネクタ５０のＳＷ接続端子５１を介して上記ＬＥＤ  ＰＷＲ（１３−１）、ＬＥＤ  ＳＴＡＮＤＢＹ（１３−２）、ＬＥＤ  ＲＴＮ（１３−３）及びＳＷ  ＰＷＲ（１３−４）端子に接続される。スイッチ基板６０は、コネクタ５０のＧＮＤ接続端子５２を介してＧＮＤ（１３−５）端子にさらに接続される。
【００６７】
本実施形態によれば、メイン基板１０に設けられたコネクタ接続領域１１には、互いに異なるコネクタ４０、５０を選択的に実装することが可能である。すなわち、仕様の異なるＰＣ１、１ａに設けるメイン基板を、同一のメイン基板１０とすることができるので、総合的な部品点数を削減し、その結果、総合的なコストを削減することが可能となる。
【００６８】
コネクタ４０を実装するときには第１の機器接続端子１２及びＧＮＤ端子１４により接続を行い、コネクタ５０を実装するときには第２の機器接続端子１３及びＧＮＤ端子１４により接続を行う。これにより、ＧＮＤ端子１４をコネクタ４０、５０の間で共通化とすることができ、メイン基板１０に設けられる機器接続端子の総合的な点数を削減することが可能となる。
【００６９】
第２の機器接続端子１３−１〜１３−４が、第１の機器接続端子１２−１〜１２−４と短絡される。このため、第１の機器接続端子１２及び第２の機器接続端子１３の総合点数に対してメイン基板１０に設ける配線を少なくすることができる。これにより、メイン基板１０を小型化することが可能となる。
【００７０】
コネクタ５０を実装したときにコネクタ５０が第１の機器接続端子１２を覆うように、各端子１２、１３、１４が配置される。これにより、コネクタ４０、５０に選択的に接続される第１の機器接続端子１２及び第２の機器接続端子１３が比較的近距離に配置されることとなる。このため、第１の機器接続端子１２−１〜１２−４と第２の機器接続端子１３−１〜１３−４とを短絡するとき、余剰配線（スタブ）の発生を抑制するとともに、メイン基板１０を小型化することが可能となる。
【００７１】
コネクタ５０の設置領域がコネクタ４０の設置領域を内包するため、一つのメイン基板に、異なるコネクタ４０、５０に対応する設置領域をそれぞれ設ける必要がない。これにより、異なるコネクタ４０、５０の接続のために１つの設置領域１１だけを設ければよく、メイン基板１０を小型化することが可能となる。
【００７２】
異なるコネクタ４０、５０の実装において共通化とされる機器接続端子（共通機器接続端子）は、ＧＮＤ端子１４である。ＧＮＤ端子は多くのコネクタに設けられているため、上述したスイッチ基板の接続に限られず、ＧＮＤ端子を共通化として、所望の種類の複数の異なるコネクタに対する接続端子をメイン基板に設けることができる。
【００７３】
［コネクタ３０の構成］
次に、コネクタ３０の構成について説明する。コネクタ３０も、上記と同様に、ＧＮＤ端子を共通化とすることで端子の総合的な点数を削減し、それにより装置の小型化を実現するという基本的な考え方に基いた構成を有する部材である。
【００７４】
図１０は、コネクタ３０を示す説明図である。
【００７５】
図１０（ａ）に示すように、コネクタ３０は、複数例えば３８個の第１の機器接続端子３１と、複数例えば６個のＧＮＤ端子３２（共通機器接続端子）と、複数例えば７４個の第２の機器接続端子３３と、コネクタガイド部３４とを有する。
【００７６】
第１の機器接続端子３１、ＧＮＤ端子３２及び第２の機器接続端子３３はこの順に配設され、全体がコネクタガイド部３４により包囲される。このコネクタガイド部３４が筐体７から露出することで、外部から例えばＥｘｐｒｅｓｓＣａｒｄ７０やＰＣカード７１等の機器が挿抜される。具体的には、それぞれの機器接続端子は２列平行に配置され、この２列の端子間に例えばＥｘｐｒｅｓｓＣａｒｄ７０やＰＣカード７１等の機器を挿抜可能である。
【００７７】
第１の機器接続端子３１、ＧＮＤ端子３２及び第２の機器接続端子３３は、それぞれ直線的に配置される。具体的には、第１の機器接続端子３１は、第１の領域３１ａに配置される。第２の機器接続端子３３は、第２の領域３３ａに配置される。ＧＮＤ端子３２は、第３の領域３２ａに配置される。第１の領域３１ａ、第３の領域３３ａ及び第２の領域３２ａは、ＥｘｐｒｅｓｓＣａｒｄ７０及びＰＣカード７１のコネクタ３０に対する挿抜の軸方向に対して直交する方向にずれて、この順に配置される。
【００７８】
ＥｘｐｒｅｓｓＣａｒｄ７０（第１の機器）は、先端に複数の接続端子を有する。ＥｘｐｒｅｓｓＣａｒｄ７０は、コネクタガイド部３４にガイドされてコネクタ３０に対して挿抜される。これにより、ＥｘｐｒｅｓｓＣａｒｄ７０の先端に設けられた複数の接続端子は、第１の機器接続端子３１及びＧＮＤ端子３２に接続される。
【００７９】
ＰＣカード７１（第２の機器）は、先端に複数の接続端子を有する。ＰＣカード７１は、コネクタガイド部３４にガイドされてコネクタ３０に対して挿抜される。これにより、ＰＣカード７１の先端に設けられた複数の接続端子は、ＧＮＤ端子３２及び第２の機器接続端子３３に接続される。
【００８０】
この構成により、ＥｘｐｒｅｓｓＣａｒｄ７０及びＰＣカード７１の接続において、ＧＮＤ端子３２を各カードに対して共通とすることができる。
【００８１】
コネクタ３０は、図１０（ｂ）に示す２個のコネクタ３０ａ、３０ｂがそれぞれ有する機能をいわば１つにまとめたコネクタである。
【００８２】
図１０（ｂ）に示すように、コネクタ３０ａはＥｘｐｒｅｓｓＣａｒｄ７０に特化したコネクタであり、第１の機器接続端子３１とＧＮＤ端子３２とを有し、コネクタガイド部３４ａにより包囲されている。一方、コネクタ３０ｂはＰＣカード７１に特化したコネクタであり、ＧＮＤ端子３２と第２の機器接続端子３３とを有し、コネクタガイド部３４ｂにより包囲されている。
【００８３】
本実施形態によれば、コネクタ３０には、互いに異なるＥｘｐｒｅｓｓＣａｒｄ７０及びＰＣカード７１を選択的に装着することが可能である。具体的には、一部の機器接続端子を共通化としているため、総合的なコネクタのサイズを縮小及び総合的な部品点数を削減し、その結果、総合的なコストを削減することが可能となる。
【００８４】
コネクタ３０はＧＮＤ端子３２を共通化として端子点数を削減するとともに、これにより、ＥｘｐｒｅｓｓＣａｒｄ７０の挿入領域とＰＣカード７１の挿入領域との間にコネクタ受け部を設ける必要がなくなる。従って、コネクタ３０のサイズは、コネクタ３０ａ、３０ｂの合計のサイズと比較して、図１０（ｂ）に示すハッチ領域分だけ縮小することができ、部品の総合的なサイズの縮小を実現可能である。
【００８５】
互いに異なるＥｘｐｒｅｓｓＣａｒｄ７０及びＰＣカード７１の装着において共通化とされる機器接続端子（共通機器接続端子）は、ＧＮＤ端子である。ＧＮＤ端子は多くのカードに設けられているため、上述した種類のカードに限られず、ＧＮＤ端子を共通化として、所望の種類の複数の異なるカードに対する接続端子を設けることができる。
【００８６】
本発明に係る実施形態は、以上説明した実施形態に限定されず、他の種々の実施形態が考えられる。
【００８７】
本実施形態によれば、メイン基板１０の一端辺１５の近傍に２個のＧＮＤ端子１４が端辺１５といわば平行に配置され、さらに第１の機器接続端子１２及び第２の機器接続端子１３が平行に配置されることで、２個のコネクタ４０、５０を選択的に実装可能としている。しかし、これに限定されず、第１の機器接続端子１２又は第２の機器接続端子１３と同様の機器接続端子をさらに平行に配置することで、３つ以上のコネクタを選択的に実装可能なメイン基板を提供することも可能である。
【００８８】
スイッチ基板２０、６０は、フレキシブルフラットケーブル２５及びハーネスケーブル５５によりメイン基板１０に対してそれぞれ接続される。しかし、これに限定されず、スイッチ基板２０、６０とメイン基板１０とを接続するケーブルは、例えばフレキシブルプリント基板等可撓性を有するケーブルであればよい。
【００８９】
コネクタ３０は、筐体７の外部に露出し、各種カードを挿抜可能とした。しかし、これに限定されず、本体部３の内部で使用され、各種コネクタ及びケーブル等が挿抜可能なコネクタであってもよい。
【００９０】
情報処理装置としてノート型のＰＣを例に挙げた。しかし、これに限定されず、デスクトップ型のＰＣ、ハードディスク内蔵オーディオ・ビジュアル機器その他の情報処理装置であってもよい。
【図面の簡単な説明】
【００９１】
【図１】本発明の一実施形態に係る情報処理装置であるパーソナルコンピュータ（ＰＣ）の開いた状態の斜視図である。
【図２】図１に示すＰＣの閉じた状態の斜視図である。
【図３】図３（ａ）は、図１に示すＰＣの内部構造を示す概略図であり、図３（ｂ）は、図３（ａ）の破線領域ｂを示す部分拡大図である。図３（ｃ）は、図３（ａ）の破線領域ｃを示す部分拡大図である。
【図４】コネクタ接続領域を示す説明図であり、コネクタが設けられていない様子を示す。
【図５】コネクタ接続領域に設けられた機器接続端子を示す等価回路図である。
【図６】図４に示すコネクタ接続領域にコネクタを実装した様子を示す説明図である。
【図７】図７（ａ）は、図１に示すＰＣとは異なる仕様を有するＰＣの内部構造を示す概略図であり、図７（ｂ）は、図７（ａ）の破線領域ｂを示す部分拡大図である。図７（ｃ）は、図７（ａ）の破線領域ｃを示す部分拡大図である。
【図８】コネクタ接続領域に図６に示すコネクタとは異なるコネクタを実装した様子を示す説明図である。
【図９】図６及び図８に示すコネクタの実装を示す説明図である。
【図１０】図６及び図８に示すコネクタとは異なるコネクタを示す説明図である。
【符号の説明】
【００９２】
１、１ａ…ＰＣ
２…表示部
３…本体部
４…ヒンジ部
５、７…筐体
６…表示面
７ａ…ＬＥＤ
８…キーボードユニット
９、９ａ…電源スイッチ
１０…メイン基板
１１…コネクタ接続領域
１２、３１…第１の機器接続端子
１３、３３…第２の機器接続端子
１４、３２…ＧＮＤ端子
２０、６０…スイッチ基板
２１ａ、２１ｂ、２１ｃ、６１…スイッチ端子
３０、３０ａ、３０ｂ、４０、５０…コネクタ
６０…スイッチ基板
【図１】
2010066906.tif 000003
【図２】
2010066906.tif 000004
【図３】
2010066906.tif 000005
【図４】
2010066906.tif 000006
【図５】
2010066906.tif 000007
【図６】
2010066906.tif 000008
【図７】
2010066906.tif 000009
【図８】
2010066906.tif 000010
【図９】
2010066906.tif 000011
【図１０】
2010066906.tif 000012